(57)【要約】【課題】  受信画質を高い状態で保ちつつ、装置全体の消費電力を小さくすること。【解決手段】  デジタルテレビ放送信号の受信品質及びアナログテレビ放送信号の受信品質がどちらも許容範囲内であるとき、アナログ復調部６の復調結果をスピーカ８やディスプレイ９に出力し、且つ、デジタル復調部５の動作を停止させるようにした。そのため、どちらの復調された放送信号を用いても受信画質や音質が十分に高いとき（通常時）には、消費電力の小さいアナログ復調部６による復調結果を優先的に選択して出力し、且つ、消費電力の大きいデジタル復調部５の動作を停止させることができる。その結果、デジタル復調部５による復調結果を常に優先的に出力する方法に比べ、受信画質や音質を高い状態で保ちつつ、装置全体の消費電力を小さくすることができる。【選択図】    図１
2005341271.tif 000002
【特許請求の範囲】
【請求項１】
受信したデジタル放送信号を復調するデジタル放送信号復調部と、受信したアナログ放送信号を復調するアナログ放送信号復調部と、前記アナログ放送信号の受信品質を取得するアナログ受信品質取得部と、前記アナログ受信品質取得部で取得された受信品質が許容範囲内であるときに、前記アナログ放送信号復調部で復調されたアナログ放送信号を外部に出力し、且つ、前記デジタル放送信号復調部の動作を停止させる復調部制御部とを備えたことを特徴とする放送受信機。
【請求項２】
前記デジタル放送信号の受信品質を取得するデジタル受信品質取得部を備え、前記復調部制御部は、前記アナログ受信品質取得部で取得された受信品質が許容範囲外であるときには、前記デジタル受信品質取得部で取得された受信品質が許容範囲内であるときに、前記デジタル放送信号復調部で復調されたデジタル放送信号を外部に出力し、前記デジタル受信品質取得部で取得された受信品質が許容範囲外であるときに、前記アナログ放送信号復調部で復調されたアナログ放送信号を外部に出力することを特徴とする請求項１に記載の放送受信機。
【請求項３】
前記デジタル受信品質取得部は、前記デジタル放送信号を復調したときのＢＥＲを取得し、前記復調部制御部は、前記デジタル受信品質取得部で取得されたＢＥＲが第１閾値以上であるときに前記デジタル放送信号の受信品質が許容範囲外であると判定し、前記第１閾値より小さいときに前記デジタル放送信号の受信品質が許容範囲内であると判定することを特徴とする請求項２に記載の放送受信機。
【請求項４】
前記デジタル受信品質取得部は、前記デジタル放送信号の受信強度を取得し、前記復調部制御部は、前記デジタル受信品質取得部で取得された受信強度が第１閾値より小さいときに前記デジタル放送信号の受信品質が許容範囲外であると判定し、前記第１閾値以上であるときに前記デジタル放送信号の受信品質が許容範囲内であると判定することを特徴とする請求項２に記載の放送受信機。
【請求項５】
前記アナログ受信品質取得部は、前記アナログ放送信号のＳ／Ｎを取得し、前記復調部制御部は、前記アナログ受信品質取得部で取得されたＳ／Ｎが第２閾値より小さいときに前記アナログ放送信号の受信品質が許容範囲外であると判定し、前記第２閾値以上であるときに前記アナログ放送信号の受信品質が許容範囲内であると判定することを特徴とする請求項１から４のいずれか１項に記載の放送受信機。
【請求項６】
前記アナログ受信品質取得部は、前記アナログ放送信号の受信強度を取得し、前記復調部制御部は、前記アナログ受信品質取得部で取得された受信強度が第２閾値より小さいときに前記アナログ放送信号の受信品質が許容範囲外であると判定し、前記第２閾値以上であるときに前記アナログ放送信号の受信品質が許容範囲内であると判定することを特徴とする請求項１から４のいずれか１項に記載の放送受信機。
【請求項７】
前記アナログ放送信号復調部で復調されたアナログ放送信号の出力タイミングを遅延させる遅延部を備えたこと特徴とする請求項１から６のいずれか１項に記載の放送受信機。
【発明の詳細な説明】
【技術分野】
【０００１】
本発明は、受信したデジタル放送信号の復調結果と、受信したアナログ放送信号の復調結果とのいずれか一方をディスプレイ等の外部機器に出力する放送受信機に関する。
【背景技術】
【０００２】
従来、この種の技術としては、受信したデジタルテレビ放送信号を復調するデジタルテレビ放送受信機と、受信したアナログテレビ放送信号を復調するアナログテレビ放送受信機とを備え、そのデジタルテレビ放送信号を復調したときのＢＥＲ(Bit Error Rate)に基づいて、前記デジタルテレビ放送受信機の復調結果と前記アナログテレビ放送受信機の復調結果とのいずれかをディスプレイやスピーカに出力するテレビ放送受信機がある。
【０００３】
また、このようなテレビ放送受信機にあっては、通常、デジタルテレビ放送信号を適切に誤り訂正できるとき、つまり、ＢＥＲが所定閾値より小さいときには、受信画質や音質が高い状態で保たれるように、デジタルテレビ放送受信機で復調されたデジタルテレビ放送信号をディスプレイやスピーカに出力するようになっている。また、デジタルテレビ放送信号を適切に誤り訂正できないとき、つまり、ＢＥＲが所定閾値以上であるときには、受信画質が急激に悪化してしまうことがないように、アナログテレビ放送受信機で復調されたアナログテレビ放送信号を出力するようになっている（例えば、特許文献１参照）。
【０００４】
また、このようなデジタルテレビ放送受信機は、一般に、アナログテレビ放送受信機に比べ、テレビ放送信号の処理回路が多いため、消費電力が大きいことが知られている。
【特許文献１】特開２０００−３３２６３２号公報
【発明の開示】
【発明が解決しようとする課題】
【０００５】
しかしながら、上記従来の技術にあっては、デジタルテレビ放送信号を適切に誤り訂正できるとき、つまり、通常時には、デジタルテレビ放送受信機による復調結果を優先的に選択して外部に出力するようになっている。この場合、デジタルテレビ放送受信機が優先的に動作することとなり、装置全体の消費電力が大きくなってしまう恐れがあった。
本発明は、上記従来技術の未解決の問題点を解決することを目的とするものであって、受信画質や音質を高い状態で保ちつつ、装置全体の消費電力を小さくすることができる放送受信機を提供することを課題とする。
【課題を解決するための手段】
【０００６】
上記課題を解決するために、第１の発明である放送受信機は、受信したデジタル放送信号を復調するデジタル放送信号復調部と、受信したアナログ放送信号を復調するアナログ放送信号復調部と、前記アナログ放送信号の受信品質を取得するアナログ受信品質取得部と、前記アナログ受信品質取得部で取得された受信品質が許容範囲内であるときに、前記アナログ放送信号復調部で復調されたアナログ放送信号を外部に出力し、且つ、前記デジタル放送信号復調部の動作を停止させる復調部制御部とを備えたことを特徴とする。なお、放送信号としては、例えば、テレビ放送信号やラジオ放送信号を挙げることができる。
【０００７】
また、第２の発明である放送受信機にあっては、前記デジタル受信品質取得部は、前記デジタル放送信号を復調したときのＢＥＲを取得し、前記復調部制御部は、前記デジタル受信品質取得部で取得されたＢＥＲが第１閾値以上であるときに前記デジタル放送信号の受信品質が許容範囲外であると判定し、前記第１閾値より小さいときに前記デジタル放送信号の受信品質が許容範囲内であると判定することを特徴とする。
【０００８】
さらに、第３の発明である放送受信機にあっては、前記デジタル受信品質取得部は、前記デジタル放送信号の受信強度を取得し、前記復調部制御部は、前記デジタル受信品質取得部で取得された受信強度が第１閾値より小さいときに前記デジタル放送信号の受信品質が許容範囲外であると判定し、前記第１閾値以上であるときに前記デジタル放送信号の受信品質が許容範囲内であると判定することを特徴とする。
【０００９】
また、第４の発明である放送受信機にあっては、前記アナログ受信品質取得部は、前記アナログ放送信号のＳ／Ｎを取得し、前記復調部制御部は、前記アナログ受信品質取得部で取得されたＳ／Ｎが第２閾値より小さいときに前記アナログ放送信号の受信品質が許容範囲外であると判定し、前記第２閾値以上であるときに前記アナログ放送信号の受信品質が許容範囲内であると判定することを特徴とする。
【００１０】
さらに、第５の発明である放送受信機にあっては、前記アナログ受信品質取得部は、前記アナログ放送信号の受信強度を取得し、前記復調部制御部は、前記アナログ受信品質取得部で取得された受信強度が第２閾値より小さいときに前記アナログ放送信号の受信品質が許容範囲外であると判定し、前記第２閾値以上であるときに前記アナログ放送信号の受信品質が許容範囲内であると判定することを特徴とする。
【００１１】
これら第１〜第５の発明によれば、デジタル放送信号の受信品質及びアナログ放送信号の受信品質がどちらも許容範囲内であるとき、つまり、どちらの復調された放送信号を用いても受信画質や音質が十分に高く且つほとんど差がないようなとき（通常時）には、消費電力の小さいアナログ放送信号復調部による復調結果を優先的に選択して外部に出力し、且つ、消費電力の大きいデジタル放送信号復調部の動作を停止させることができる。その結果、単に、デジタル放送信号の受信品質が許容範囲内であるときに、デジタル放送信号復調部による復調結果を常に優先的に出力する方法に比べ、受信画質や音質を高い状態で保ちつつ、装置全体の消費電力を小さくすることができる。
【００１２】
また、第６の発明である放送受信機にあっては、前記デジタル放送信号の受信品質を取得するデジタル受信品質取得部を備え、前記復調部制御部は、前記アナログ受信品質取得部で取得された受信品質が許容範囲外であるときには、前記デジタル受信品質取得部で取得された受信品質が許容範囲内であるときに、前記デジタル放送信号復調部で復調されたデジタル放送信号を外部に出力し、前記デジタル受信品質取得部で取得された受信品質が許容範囲外であるときに、前記アナログ放送信号復調部で復調されたアナログ放送信号を外部に出力することを特徴とする。
【００１３】
この第６の発明によれば、アナログ放送信号の受信品質が許容範囲外であるが、デジタル放送信号の受信品質が許容範囲内であるとき、つまり、復調されたアナログ放送信号による受信画質や音質は低いが、復調されたデジタル放送信号による受信画質や音質は十分に高いときには、受信画質や音質の高いデジタル放送信号復調部の復調結果を外部に出力することができ、その結果、受信画質や音質を高い状態で保つことができる。
【００１４】
また、アナログ放送信号の受信品質及びデジタル放送信号の受信品質がどちらも許容範囲外であるとき、つまり、デジタル放送信号の誤り訂正を実行できず、復調されたデジタル放送信号では映像や音声を出力できないが、復調されたアナログ放送信号によれば劣化があるものの映像や音声を出力することができるようなときには、映像や音声を出力できるアナログ放送信号復調部の復調結果を外部に出力することができ、その結果、受信画質や音質が低いものの、映像や音声が途切れてしまうことを防止することができる。
【００１５】
さらに、第７の発明である放送受信機にあっては、前記アナログ放送信号復調部で復調されたアナログ放送信号の出力タイミングを遅延させる遅延部を備えたこと特徴とする。
この第７の発明によれば、デジタル放送信号復調部とアナログ放送信号復調部とから同じ放送内容に対応する信号を同時に出力することができる。そのため、アナログ放送信号復調部でアナログ放送信号の復調に要する時間に比べ、デジタル放送信号復調部でデジタル放送信号の復調に要する時間が長くなってしまっても、つまり、アナログ放送信号による映像や音声の出力タイミングに比べ、デジタル放送信号による出力タイミングに遅れが生じたとしても、デジタル放送信号とアナログ放送信号とで出力信号を切り替えたときに、映像や音声の出力が遅れたり早まったりしてしまうことを防止することができる。
【発明を実施するための最良の形態】
【００１６】
以下、本発明の放送受信機の一実施形態を図面に基づいて説明する。
本発明の放送受信機は、受信したデジタルテレビ放送信号の復調結果と、受信したアナログテレビ放送信号の復調結果とのいずれか一方を外部に出力するものであり、特に、アナログテレビ放送信号の受信品質が許容範囲内であるときには、アナログ放送信号の復調結果を出力するものである。本実施形態では、本発明の放送受信機を車両に搭載し、その復調結果をディスプレイやスピーカに出力するようにした場合について説明する。
【００１７】
＜放送受信機の構成＞
まず、本実施形態の放送受信機の構成を説明する。
図１は、本実施形態の放送受信機の概略構成を示すブロック図である。この図１に示すように、放送受信機１は、デジタルテレビ放送信号及びアナログテレビ放送信号を受信するための受信機であって、アンテナ２、分配器３、チャネル設定部４、デジタル復調部５、アナログ復調部６及び出力切り替え部７を含んで構成され、出力切り替え部７は、スピーカ８及びディスプレイ９に音声信号及び映像信号を出力可能に接続されている。
【００１８】
これらのうち、アンテナ２は、放送塔（不図示）から送信されるデジタルテレビ放送信号とアナログテレビ放送信号とを受信し、それら受信した信号を分配器３に出力する。
また、分配器３は、アンテナ２から出力される信号を増幅し、その増幅した信号をデジタルチューナ１０とアナログチューナ１３とに分配出力する。
さらに、チャネル設定部４は、利用者による放送番組の選択操作を受け付ける選択操作部（不図示）を備えている。そして、その選択操作部（不図示）で放送番組が選択されると、その選択された放送番組がサイマル放送されているアナログ放送とデジタル放送のチャンネルを、デジタル復調部５及びアナログ復調部６において復調するチャネルに設定する指令（以下、「チャネル設定指令」とも呼ぶ。）を出力する。
【００１９】
また、デジタル復調部５は、デジタルチューナ１０、ＯＦＤＭ(Orthogonal Frequency Division Multiplexing)復調部１１及びＭＰＥＧ(Moving Picture Experts Group)復調部１２を含んで構成される。
デジタルチューナ１０は、分配器３から出力されるデジタルテレビ放送信号のうち、チャネル設定部４から出力されるチャネル設定指令に対応するチャネルの信号を選択して、中間周波数信号に変換し、その信号をＯＦＤＭ復調部１１に出力する。
【００２０】
また、ＯＦＤＭ復調部１１は、デジタルチューナ１０から出力される中間周波数信号をＯＦＤＭ復調する。そして、その復調結果を誤り訂正してからＭＰＥＧ復調部１２に出力し、且つ、前記ＯＦＤＭ復調したときのＢＥＲ(Bit Error Rate)をデジタル受信品質取得部１６（後述）に出力する。
さらに、ＭＰＥＧ復調部１２は、ＯＦＤＭ復調部１１から出力される信号をＭＰＥＧ復調することで音声信号と映像信号とを生成する。そして、その生成した音声信号を音声出力用の出力端子に出力し、映像信号を映像出力用の出力端子に出力する。
【００２１】
一方、アナログ復調部６は、アナログチューナ１３、検波部１４及び遅延回路１５を含んで構成される。アナログチューナ１３は、分配器３から出力されるアナログテレビ放送信号のうち、チャネル設定部４から出力されるチャネル設定指令に対応するチャネルの信号を選択して、中間周波数信号に変換し、その信号を、検波部１４に出力する。
また、検波部１４は、アナログチューナ１３から出力される信号から音声信号と映像信号とを取り出し、それら取り出した信号を遅延回路１５に出力する。
【００２２】
さらに、遅延回路１５は、デジタル復調部５（ＭＰＥＧ復調部１２）とアナログ復調部６（遅延回路１５）とから同じ放送内容に対応する信号（音声信号及び映像信号）が同時に出力されるように、検波部１４から出力される音声信号と映像信号とを一定時間保持した後（遅延させた後）、その保持した音声信号を音声出力用の出力端子に出力し、映像信号を映像出力用の出力端子及びアナログ受信品質取得部１７（後述）に出力する。
【００２３】
一方、出力切り替え部７は、デジタル受信品質取得部１６、アナログ受信品質取得部１７、復調部制御回路１８、電力制御回路１９、音声信号切り替えスイッチ２０及び映像信号切り替えスイッチ２１を含んで構成されている。
これらのうち、デジタル受信品質取得部１６は、ＯＦＤＭ復調部１１から出力されるＢＥＲを取得し、その取得したＢＥＲを復調部制御回路１８に出力する。
【００２４】
また、アナログ受信品質取得部１７は、遅延回路１５から出力される映像信号のＳ／Ｎ(Signal to Noise ratio)を検出し、その検出されたＳ／Ｎを復調部制御回路１８に出力する。
さらに、復調部制御回路１８は、放送受信機１への電源投入時、デジタルテレビ放送信号の受信品質あるいはアナログテレビ放送信号の受信品質が許容範囲外となったときに、デジタル受信品質取得部１６から出力されるＢＥＲとアナログ受信品質取得部１７から出力されるＳ／Ｎとに基づいて復調部制御処理（後述）を実行する。そして、復調部制御回路１８は、その復調部制御処理（後述）に従って、電力供給指令（後述）やデジタル復調部停止指令（後述）、アナログ復調部停止指令（後述）を電力制御回路１９に出力したり、デジタル放送信号出力指令（後述）やアナログ放送信号出力指令（後述）を音声信号切り替えスイッチ２０及び映像信号切り替えスイッチ２１に出力したりする。
【００２５】
また、電力制御回路１９は、復調部制御回路１８から電力供給指令（後述）が出力されると、デジタルチューナ１０、ＯＦＤＭ復調部１１、ＭＰＥＧ復調部１２、アナログチューナ１３及び検波部１４への電力供給を開始する。また、電力制御回路１９は、復調部制御回路１８からデジタル復調部停止指令（後述）が出力されると、デジタルチューナ１０、ＯＦＤＭ復調部１１及びＭＰＥＧ復調部１２への電力供給を停止する。さらに、復調部制御回路１８からアナログ復調部停止指令（後述）が出力されると、アナログチューナ１３及び検波部１４への電力供給を停止する。
【００２６】
さらに、音声信号切り替えスイッチ２０は、復調部制御回路１８からデジタル放送信号出力指令（後述）が出力されると、ＭＰＥＧ復調部１２の音声信号出力用の出力端子をスピーカ８の入力端子に切り替え接続する。また、音声信号切り替えスイッチ２０は、復調部制御回路１８からアナログ放送信号出力指令（後述）が出力されると、遅延回路１５の音声信号出力用の出力端子をスピーカ８の入力端子に切り替え接続する。
【００２７】
さらに、映像信号切り替えスイッチ２１は、復調部制御回路１８からデジタル放送信号出力指令（後述）が出力されると、ＭＰＥＧ復調部１２の映像信号出力用の出力端子をディスプレイ９の入力端子に切り替え接続する。また、映像信号切り替えスイッチ２１は、復調部制御回路１８からアナログ放送信号出力指令（後述）が出力されると、遅延回路１５の映像信号出力用の出力端子をディスプレイ９の入力端子に切り替え接続する。
【００２８】
次に、本実施形態の放送受信機の動作を説明する。
＜復調部制御回路の動作＞
まず、復調部制御回路１８で実行される復調部制御処理について説明する。図２は、復調部制御処理のフローチャートである。この復調部制御処理は、放送受信機１への電源投入時、デジタルテレビ放送信号の受信品質あるいはアナログテレビ放送信号の受信品質が許容範囲外（後述）となったときに実行される処理であって、まずそのステップＳ１で、デジタル復調部５（デジタルチューナ１０、ＯＦＤＭ復調部１１及びＭＰＥＧ復調部１２）及び、アナログ復調部６（アナログチューナ１３及び検波部１４）への電力供給を開始させる指令（以下、「電力供給指令」とも呼ぶ。）を電力制御回路１９に出力する。
【００２９】
次にステップＳ２に移行して、アナログテレビ放送信号の受信品質が許容範囲内であるか否かを判定し、許容範囲内である場合には（Ｙｅｓ）ステップＳ５に移行し、許容範囲外である場合には（Ｎｏ）ステップＳ３に移行する。なお、本実施形態では、アナログ受信品質取得部１７から出力されるＳ／Ｎが第２閾値（例えば、受信画質や音質が十分高いものとなる閾値、４０ｄＢ）以上であるときにアナログテレビ放送信号の受信品質が許容範囲内であると判定し、第２閾値より小さいときにアナログテレビ放送信号の受信品質が許容範囲外であると判定する。
【００３０】
前記ステップＳ３では、デジタルテレビ放送信号の受信品質が許容範囲内であるか否かを判定し、許容範囲内である場合には（Ｙｅｓ）ステップＳ４に移行し、許容範囲外である場合には（Ｎｏ）ステップＳ５に移行する。なお、本実施形態では、デジタル受信品質取得部１６から出力されるＢＥＲが第１閾値（例えば、受信画質や音質が十分高いものとなるように、デジタルテレビ放送信号を適切に誤り訂正可能な閾値、２×１０−４）より小さいときにデジタルテレビ放送信号の受信品質が許容範囲内であると判定し、第２閾値以上であるときにデジタルテレビ放送信号の受信品質が許容範囲外であると判定する。
【００３１】
前記ステップＳ４では、アナログ復調部６（アナログチューナ１３及び検波部１４）への電力供給を停止させる指令（以下、「アナログ復調部停止指令」とも呼ぶ。）を電力制御回路１９に出力し、且つ、デジタル復調部５（ＭＰＥＧ復調部１２）から出力される音声信号及び映像信号をスピーカ８及びディスプレイ９に出力させる指令（以下、「デジタル放送信号出力指令」とも呼ぶ。）を音声信号切り替えスイッチ２０及び映像信号切り替えスイッチ２１に出力した後、この演算処理を終了する。
【００３２】
一方、前記ステップＳ５では、デジタル復調部５（デジタルチューナ１０、ＯＦＤＭ復調部１１及びＭＰＥＧ復調部１２）への電力供給を停止させる指令（以下、「デジタル復調部停止指令」とも呼ぶ。）を電力制御回路１９に出力し、且つ、アナログ復調部６（遅延回路１５）から出力される音声信号及び映像信号をスピーカ８及びディスプレイ９に出力させる指令（以下、「アナログ放送信号出力指令」とも呼ぶ。）を音声信号切り替えスイッチ２０及び映像信号切り替えスイッチ２１に出力した後、この演算処理を終了する。
【００３３】
＜放送受信機の具体的動作＞
次に、本実施形態の放送受信機の動作を具体的状況に基づいて説明する。
まず、車両の走行中に、放送受信機１に電源を投入し、所望の放送番組をチャネル設定部４で選択したとする。すると、復調部制御回路１８で復調部制御処理が実行され、図２に示すように、まずそのステップＳ１で、電力供給指令が電力制御回路１９に出力される。そして、電力制御回路１９によって、デジタル復調部５（デジタルチューナ１０、ＯＦＤＭ復調部１１、ＭＰＥＧ復調部１２）及び、アナログ復調部６（アナログチューナ１３及び検波部１４）への電力供給が開始され、チャネル設定部４によって、チャネル設定指令がデジタルチューナ１０及びアナログチューナ１３に出力される。
【００３４】
また同時に、アンテナ２によって、放送塔（不図示）から送信されるデジタルテレビ放送信号とアナログテレビ放送信号とが受信され、それらの受信された信号が分配器３に出力される。そして、分配器３によって、アンテナ２から出力される信号が増幅され、その増幅された信号がデジタルチューナ１０とアナログチューナ１３とに分配出力される。
また、デジタルチューナ１０によって、分配器３から出力される信号のうち、チャネル設定部４から出力されるチャネル設定指令に対応するチャネルの信号を選択して、中間周波数信号に変換し、その信号をＯＦＤＭ復調部１１に出力する。つまり、利用者が設定した放送番組のチャネルの信号がＯＦＤＭ復調部１１に出力される。また、ＯＦＤＭ復調部１１によって、デジタルチューナ１０から出力される中間周波数信号がＯＦＤＭ復調され、その復調結果が誤り訂正されてからＭＰＥＧ復調部１２に出力され、また、前記ＯＦＤＭ復調されたときのＢＥＲがデジタル受信品質取得部１６に出力される。そして、ＭＰＥＧ復調部１２によって、ＯＦＤＭ復調部１１から出力された信号がＭＰＥＧ復調することで音声信号と映像信号とが生成され、その生成された音声信号が音声出力用の出力端子に出力され、映像信号が映像出力用の出力端子に出力される。また、デジタル受信品質取得部１６によって、ＯＦＤＭ復調部１１から出力されるＢＥＲが取得され、その取得されたＢＥＲが復調部制御回路１８に出力される。
【００３５】
さらに、アナログチューナ１３によって、分配器３から出力されるアナログテレビ放送信号のうち、チャネル設定部４から出力されるチャネル設定指令に対応するチャネル、つまり、デジタルチューナ１０が出力するチャネルと放送内容が同じチャネルの信号が選択され、中間周波数に変換されて、検波部１４に出力される。また、検波部１４によって、アナログチューナ１３から出力された信号から音声信号及び映像信号が取り出され、それらの取り出された信号が遅延回路１５に出力される。そして、遅延回路１５によって、検波部１４から出力された音声信号及び映像信号が所定時間保持された後、音声信号が音声出力用の出力端子に出力され、映像信号が映像出力用の出力端子及びアナログ受信品質取得部１７に出力される。また、アナログ受信品質取得部１７によって、遅延回路１５から出力される映像信号のＳ／Ｎが検出され、その検出されたＳ／Ｎが復調部制御回路１８に出力される。
【００３６】
ここで、図３や４の領域ａに示すように、デジタルテレビ放送信号の電界強度及びアナログテレビ放送信号の電界強度が強く、デジタル受信品質取得部１６によって第１閾値より小さいＢＥＲが取得され、アナログ受信品質取得部１７によって第２閾値より大きいＳ／Ｎが検出された、つまり、デジタル放送信号の受信品質及びアナログ放送信号の受信品質がどちらも許容範囲内であるとする。すると、ステップＳ２の判定が「Ｙｅｓ」となり、ステップＳ５で、デジタル復調部停止指令が電力制御回路１９に出力されると共に、アナログ放送信号出力指令が音声信号切り替えスイッチ２０及び映像信号切り替えスイッチ２１に出力された後、この演算処理が終了される。
【００３７】
そして、電力制御回路１９によって、デジタル復調部５（デジタルチューナ１０、ＯＦＤＭ復調部１１及びＭＰＥＧ復調部１２）への電力供給への電力供給が停止される。また、音声信号切り替えスイッチ２０によって、アナログ復調部６（遅延回路１５）の音声信号出力用の出力端子がスピーカ８の入力端子に接続され、遅延回路１５から出力される音声信号がスピーカ８で再生される。さらに、映像信号切り替えスイッチ２１によって、アナログ復調部６（遅延回路１５）の映像信号出力用の出力端子がディスプレイ９の入力端子に接続され、遅延回路１５から出力される映像信号がディスプレイ９に表示される。
【００３８】
このように、本実施形態の放送受信機１によれば、デジタルテレビ放送信号の受信品質及びアナログテレビ放送信号の受信品質がどちらも許容範囲内であるときには、図３や４の領域ａに太線で示すように、アナログ復調部６の復調結果をスピーカ８やディスプレイ９に出力し、且つ、デジタル復調部５の動作を停止させるようにした。そのため、どちらの復調された放送信号を用いても受信画質や音質が十分に高く且つほとんど差がないようなとき（通常時）には、消費電力の小さいアナログ復調部６による復調結果を優先的に選択して出力し、且つ、消費電力の大きいデジタル復調部５の動作を停止させることができる。その結果、単に、デジタルテレビ放送信号の受信品質が許容範囲内であるときに、デジタル復調部５による復調結果を常に優先的に出力する方法に比べ、受信画質や音質を高い状態で保ちつつ、装置全体の消費電力を小さくすることができる。
【００３９】
また、デジタル復調部５とアナログ復調部６とから同じ放送内容に対応する信号が同時に出力されるように、復調されたアナログテレビ放送信号の出力タイミングを遅延回路１５で遅らせるようにした。そのため、アナログ復調部６でアナログテレビ放送信号の復調に要する時間に比べ、デジタル復調部５でデジタルテレビ放送信号の復調に要する時間が長くなってしまっても、つまり、アナログ放送信号による映像や音声の出力タイミングに比べ、デジタルテレビ放送信号による映像や音声の出力タイミングに遅れが生じたとしても、デジタルテレビ放送信号とアナログテレビ放送信号とで出力信号を切り替えたときに、映像や音声の出力が遅れたり早まったりしてしまうことを防止することができる。
【００４０】
また、車両の走行を続けているうちに、図３や４の領域ｂに示すように、アナログテレビ放送信号及びデジタルテレビ放送信号の電界強度がともに弱くなり、アナログ受信品質取得部１７によって第２閾値より小さいＳ／Ｎが検出された、つまり、デジタル放送信号の受信品質は許容範囲内であるが、アナログ放送信号の受信品質が許容範囲外になったとする。すると、復調部制御回路１８で復調部制御処理が再び実行され、図２に示すように、ステップＳ１を経て、ステップＳ２の判定が「Ｎｏ」となり、また、ステップＳ３の判定が「Ｙｅｓ」となり、ステップＳ４で、アナログ復調部停止指令が電力制御回路１９に出力されると共に、デジタル放送信号出力指令が音声信号切り替えスイッチ２０及び映像信号切り替えスイッチ２１に出力された後、この演算処理が終了される。
【００４１】
そして、電力制御回路１９によって、アナログ復調部６（アナログチューナ１３及び検波部１４）への電力供給が停止される。また、音声信号切り替えスイッチ２０によって、デジタル復調部５（ＭＰＥＧ復調部１２）の音声信号出力用の出力端子がスピーカ８の入力端子に接続され、ＭＰＥＧ復調部１２から出力される音声信号がスピーカ８から再生される。さらに、映像信号切り替えスイッチ２１によって、デジタル復調部５（ＭＰＥＧ復調部１２）の映像信号出力用の出力端子がディスプレイ９の入力端子に接続され、ＭＰＥＧ復調部１２から出力される映像信号がディスプレイ９に表示される。
【００４２】
このように、本実施形態の放送受信機１によれば、アナログテレビ放送信号の受信品質が許容範囲外であるが、デジタルテレビ放送信号の受信品質が許容範囲内であるとき、つまり、復調されたアナログテレビ放送信号による受信画質や音質は低いが、復調されたデジタルテレビ放送信号による受信画質や音質は十分に高いときには、図３や４の領域ｂに太線で示すように、受信画質や音質の高いデジタル復調部５の復調結果をスピーカ８等に出力することができ、その結果、受信画質や音質を高い状態で保つことができる。
【００４３】
さらに、車両の走行を続けているうちに、図３や４の領域ｃに示すように、アナログテレビ放送及びデジタルテレビ放送の電界強度がさらに弱くなり、デジタル受信品質取得部１６によって第１閾値より大きいＢＥＲが検出された、つまり、デジタルテレビ放送信号の受信品質及びアナログテレビ放送信号の受信品質がどちらも許容範囲外になったとする。すると、復調部制御回路１８で復調部制御処理が再び実行され、図２に示すように、ステップＳ１を経て、ステップＳ２及びＳ３の判定が「Ｎｏ」となり、ステップＳ５で、デジタル復調部停止指令が電力制御回路１９に出力されると共に、アナログ放送信号出力指令が出力切り替え部７に出力された後、この演算処理が終了される。
【００４４】
そして、電力制御回路１９によって、デジタル復調部５（デジタルチューナ１０、ＯＦＤＭ復調部１１及びＭＰＥＧ復調部１２）への電力供給が停止される。また、音声信号切り替えスイッチ２０によって、アナログ復調部６（遅延回路１５）の音声信号出力用の出力端子がスピーカ８の入力端子に接続され、遅延回路１５から出力される音声信号がスピーカ８から再生される。さらに、映像信号切り替えスイッチ２１によって、アナログ復調部６（遅延回路１５）の映像信号出力用の出力端子がディスプレイ９の入力端子に接続され、遅延回路１５から出力される映像信号がディスプレイ９に表示される。
【００４５】
このように、本実施形態の放送受信機１によれば、デジタルテレビ放送信号の受信品質とアナログテレビ放送信号の受信品質とが許容範囲外であるとき、つまり、デジタルテレビ放送信号の誤り訂正を実行できず、復調されたデジタルテレビ放送信号では映像や音声を出力できないが、復調されたアナログテレビ放送信号によれば劣化があるものの映像や音声を出力することができるときには、図３や４の領域ｃに太線で示すように、映像や音声を出力できるアナログ復調部６の復調結果をスピーカ８やディスプレイ９に出力させることができ、その結果、映像や音声が途切れてしまうことを防止することができる。
【００４６】
なお、本実施形態では、図３や４に示すように、電界強度（テレビ放送の電波の強さ）が同じように弱くなると、アナログテレビ放送信号の受信品質が低下した後、デジタルテレビ放送信号の受信品質が低下する状況に適用した例を示したが、これに限られるものではない。例えば、図５に示すように、デジタルテレビ放送信号の受信品質が低下した後、アナログテレビ放送信号の受信品質が低下するような状況に適用するようにしてもよい。
【００４７】
以上、図１のデジタル復調部５、デジタルチューナ１０、ＯＦＤＭ復調部１１及びＭＰＥＧ復調部１２が特許請求の範囲に記載のデジタル放送信号復調部を構成し、以下同様に、図１のアナログ復調部６、アナログチューナ１３及び検波部１４がアナログ放送信号復調部を構成し、図１のアナログ受信品質取得部１７がアナログ受信品質取得部を構成し、図１の復調部制御回路１８、電力制御回路１９、音声信号切り替えスイッチ２０及び映像信号切り替えスイッチ２１が復調部制御部を構成し、図１のデジタル受信品質取得部１６がデジタル受信品質取得部を構成し、図１の遅延回路１５が遅延部を構成する。
【００４８】
なお、本発明の放送受信機は、上記実施の形態の内容に限定されるものではなく、本発明の趣旨を逸脱しない範囲で適宜変更可能である。
例えば、上記実施形態では、デジタルテレビ放送信号の受信品質をＢＥＲに基づいて判定し、アナログテレビ放送信号の受信品質をＳ／Ｎに基づいて判定する例を示したが、これに限られるものではない。例えば、デジタルテレビ放送信号の受信品質とアナログテレビ放送信号の受信品質とを放送信号の電界強度に基づいてそれぞれ判定するようにしてもよい。具体的には、デジタルテレビ放送信号の受信強度が第１閾値以上であるときにデジタルテレビ放送信号の受信品質が許容範囲内であると判定し、前記第１閾値より小さいときにデジタルテレビ放送信号の受信品質が許容範囲外であると判定する。また、アナログテレビ放送信号の受信強度が第２閾値以上であるときにアナログテレビ放送信号の受信品質が許容範囲内であると判定し、前記第２閾値より小さいときにアナログテレビ放送信号の受信品質が許容範囲外であると判定する方法を挙げることができる。
【００４９】
また、放送受信機１でテレビ放送の放送信号を受信する例を示したが、これに限られるものではなく、例えば、ラジオ放送の放送信号を受信するようにしてもよい。
【図面の簡単な説明】
【００５０】
【図１】本発明の放送受信機の内部構成を示すブロック図である。
【図２】復調部制御処理を示すフローチャートである。
【図３】放送受信機の動作を説明するための説明図である。
【図４】放送受信機の動作を説明するための説明図である。
【図５】放送受信機の動作を説明するための説明図である。
【符号の説明】
【００５１】
１は放送受信機、２はアンテナ、３は分配器、４はチャネル設定部、５はデジタル復調部、６はアナログ復調部、７は出力切り替え部、８はスピーカ、９はディスプレイ、１０はデジタルチューナ、１１はＯＦＤＭ復調部、１２は遅延回路、１３はアナログチューナ、１４は検波部、１５は遅延回路、１６はデジタル受信品質取得部、１７はアナログ受信品質取得部、１８は復調部制御部、１９は電力制御回路、２０は音声信号切り替えスイッチ、２１は映像信号切り替えスイッチ
【図１】
2005341271.tif 000003
【図２】
2005341271.tif 000004
【図３】
2005341271.tif 000005
【図４】
2005341271.tif 000006
【図５】
2005341271.tif 000007